【手続補正書】
【提出日】平成30年8月1日(2018.8.1)
【手続補正１】
【補正対象書類名】明細書
【補正対象項目名】０００７
【補正方法】変更
【補正の内容】
【０００７】
上記した目的を達成するために、本発明の遊技機は、遊技を制御するメイン制御手段が搭載されたメイン制御基板、および、前記メイン制御手段から送信される情報に基づき前記メイン制御手段の制御条件の状態を示唆する状態示唆演出と、制御条件の状態に基づき前記メイン制御手段にて決定された制御結果の種類を示唆する結果示唆演出とを実行可能なサブ制御手段が搭載されたサブ制御基板、を備え、前記メイン制御手段の制御結果の種類に応じて遊技者に所定の利益を付与可能な遊技機において、前記メイン制御手段の制御条件の状態に対する状態示唆演出を決定し、制御条件の状態に基づき前記メイン制御手段にて決定された制御結果の種類に対する結果示唆演出を決定する示唆演出決定手段を備え、同一カテゴリの制御条件に対して当該制御条件の状態は複数種類あり、前記複数種類の状態は、遊技者に有利な状態と、遊技者に不利な状態と、を含み、前記示唆演出決定手段は、前記メイン制御基板に搭載され、前記同一カテゴリの制御条件の状態に対する状態示唆演出の決定に関する選択を第１選択テーブルに基づいて行い、該第１選択テーブルに基づく選択結果を特定可能な情報を前記サブ制御基板に送信するメイン側状態示唆演出決定手段と、前記サブ制御基板に搭載され、前記メイン側状態示唆演出決定手段から受信した情報に基づく選択結果と第２選択テーブルとに基づいて状態示唆演出を決定するサブ側状態示唆演出決定手段と、前記サブ制御基板に搭載され、前記メイン制御基板から送信した前記メイン制御手段にて決定された制御結果の種類を特定可能な情報を受信し、受信した情報に基づく制御結果の種類と特定選択テーブルとに基づいて結果示唆演出を決定する結果示唆演出決定手段とを備え、前記サブ制御手段は、前記示唆演出決定手段の決定結果に基づいて演出を行うことを特徴としている。
【手続補正２】
【補正対象書類名】明細書
【補正対象項目名】００１３
【補正方法】変更
【補正の内容】
【００１３】
また、前記メイン制御手段の制御条件の状態が遊技者に有利な状態であるときに、前記メイン側状態示唆演出決定手段が、前記第１選択テーブルに基づく選択結果として第１情報を第２情報よりも選択し易いように前記第１選択テーブルが構成され、前記サブ側状態示唆演出決定手段が、前記第１情報を受信した方が前記第２情報を受信したときよりも特定の状態示唆演出を決定し易いように前記第２選択テーブルが構成されているとよい。
【手続補正３】
【補正対象書類名】明細書
【補正対象項目名】０１８８
【補正方法】変更
【補正の内容】
【０１８８】
（２）ガセ前兆期間設定手段２０１
図６のガセ前兆期間設定手段２０１は、メイン制御基板６３（メインＣＰＵ６１）から送信される情報に基づいて、ＡＴ移行抽選が行われる所定条件（チェリー当選、スイカ当選）を満たしたがＡＴ移行抽選に当選しなかった（ＡＴ非当選）ことを特定したときに、ガセ前兆可能性演出が実行されるガセ前兆期間（特定演出期間）をガセ前兆期間設定抽選により設定する。なお、本実施形態では、チェリー当選の場合はＡＴ移行抽選に必ず当選するように構成されている。したがって、ガセ前兆期間設定手段２０１は、スイカ当選のときに行われるＡＴ移行抽選に当選しなかったときにガセ前兆期間設定抽選を行う。
【手続補正４】
【補正対象書類名】明細書
【補正対象項目名】０３３６
【補正方法】変更
【補正の内容】
【０３３６】
また、リミッタ条件が成立したか否かを判定するための総ＡＴ遊技数カウンタ６５９のカウント値については、遊技状態がＡＴ遊技（ＡＴ１）を含む遊技状態から特別遊技（ＢＢ遊技（ＢＢ’）、ＲＢ遊技（ＲＢ’））に移行した場合にも１ゲームが消化される毎に更新するようにしてもよい。このようにすると、総ＡＴ遊技数カウンタ６５９のカウント値が、最初にＡＴ期間に移行した後、ＡＴ権利（ＡＴ期間）が残っている間は特別遊技を含む全ての遊技状態において１ゲームが消化される毎に更新されるので、ＡＴ遊技の消化ゲーム数をカウントするＡＴ期間遊技数カウンタ６５５の更新が中断されている特別遊技中に総ＡＴ遊技数カウンタ６５９のカウント値がリミッタ条件を満たす（１５００ゲームに達する）場合がある。この場合には、残りのＡＴ期間および残りのＡＴ権利をクリアして、特別遊技が終了したときにＡＴ遊技を再開せずに終了するとよい。なお、ＡＴ移行抽選に当選することによるＡＴ権利設定時に総ＡＴ権利数カウンタ５６９によるカウントを開始してもよい（前兆期間中からカウントを開始する）。
【手続補正５】
【補正対象書類名】特許請求の範囲
【補正対象項目名】全文
【補正方法】変更
【補正の内容】
【特許請求の範囲】
【請求項１】
遊技を制御するメイン制御手段が搭載されたメイン制御基板、および、前記メイン制御手段から送信される情報に基づき前記メイン制御手段の制御条件の状態を示唆する状態示唆演出と、制御条件の状態に基づき前記メイン制御手段にて決定された制御結果の種類を示唆する結果示唆演出とを実行可能なサブ制御手段が搭載されたサブ制御基板、を備え、前記メイン制御手段の制御結果の種類に応じて遊技者に所定の利益を付与可能な遊技機において、
前記メイン制御手段の制御条件の状態に対する状態示唆演出を決定し、制御条件の状態に基づき前記メイン制御手段にて決定された制御結果の種類に対する結果示唆演出を決定する示唆演出決定手段を備え、
同一カテゴリの制御条件に対して当該制御条件の状態は複数種類あり、前記複数種類の状態は、遊技者に有利な状態と、遊技者に不利な状態と、を含み、
前記示唆演出決定手段は、
前記メイン制御基板に搭載され、前記同一カテゴリの制御条件の状態に対する状態示唆演出の決定に関する選択を第１選択テーブルに基づいて行い、該第１選択テーブルに基づく選択結果を特定可能な情報を前記サブ制御基板に送信するメイン側状態示唆演出決定手段と、
前記サブ制御基板に搭載され、前記メイン側状態示唆演出決定手段から受信した情報に基づく選択結果と第２選択テーブルとに基づいて状態示唆演出を決定するサブ側状態示唆演出決定手段と、
前記サブ制御基板に搭載され、前記メイン制御基板から送信した前記メイン制御手段にて決定された制御結果の種類を特定可能な情報を受信し、受信した情報に基づく制御結果の種類と特定選択テーブルとに基づいて結果示唆演出を決定する結果示唆演出決定手段とを備え、
前記サブ制御手段は、前記示唆演出決定手段の決定結果に基づいて演出を行うことを特徴とする遊技機。
【請求項２】
前記メイン側状態示唆演出決定手段は、前記第１選択テーブルに基づく選択結果を特定可能な情報を、前記サブ制御手段が状態示唆演出を実行可能な特定タイミングで送信することを特徴とする請求項１に記載の遊技機。
【請求項３】
前記メイン制御手段の制御条件の状態が遊技者に有利な状態であるときに、
前記メイン側状態示唆演出決定手段が、前記第１選択テーブルに基づく選択結果として第１情報を第２情報よりも選択し易いように前記第１選択テーブルが構成され、
前記サブ側状態示唆演出決定手段が、前記第１情報を受信した方が前記第２情報を受信したときよりも特定の状態示唆演出を決定し易いように前記第２選択テーブルが構成されていることを特徴とする請求項１または２に記載の遊技機。
【請求項４】
前記サブ制御手段は、状態示唆演出および結果示唆演出の発生を遊技者に事前に知らせる予兆演出に関する選択を行う予兆演出選択手段を備えることを特徴とする請求項１ないし３のいずれかに記載の遊技機。